(57)【要約】【課題】案内経路の前方に放送受信ができないリンクが存在する場合に、音楽記録が途切れることがないように経路を再探索するようにする。【解決手段】経路探索に用いられる道路データにおけるリンクデータは、各リンク毎にそのリンクで受信可能な放送局のデータをリンクの属性情報に含み、ナビゲーション装置１は、放送を受信する放送受信部（ラジオ放送受信部１１）と、前記受信した放送の音楽コンテンツを記録するハードディスク部１４と、を備え、経路案内中に前記放送受信部で受信中の音楽コンテンツを前記ハードディスク部１４に記録する際、ナビ制御部２０は、前記道路データを参照し、案内中の経路の前方のリンクに前記受信中の放送を受信できないリンクが存在する場合、前記受信中の放送を受信できるリンクを用いて経路を再探索する。【選択図】図１
2009109468.tif 000002
【特許請求の範囲】
【請求項１】
現在位置を検出する現在位置検出部と、道路をノードとノード間を接続するリンクで表現した道路データを記憶する地図記憶部と、前記道路データに基づいて経路探索を行うナビ制御部と、ナビ制御部が経路探索した案内経路に基づいて経路案内するナビゲーション装置であって、経路案内中に前記ナビゲーション装置が放送受信機能を用いて音楽コンテンツを受信し、記録することができるナビゲーション装置において、
前記リンクデータは、各リンク毎にそのリンクで受信可能な放送局のデータをリンクの属性情報に含み、
前記ナビゲーション装置は、放送を受信する放送受信部と、前記受信した放送の音楽コンテンツを記録するハードディスク部と、を備え、経路案内中に前記放送受信部で受信中の音楽コンテンツを前記ハードディスク部に記録する際、前記ナビ制御部は、前記道路データを参照し、案内中の経路の前方のリンクに前記受信中の放送を受信できないリンクが存在する場合、前記受信中の放送を受信できるリンクを用いて経路を再探索することを特徴とするナビゲーション装置。
【請求項２】
前記ナビゲーション装置は音楽情報解析部を備え、該音楽情報解析部は、前記放送受信部で受信中の音楽コンテンツの特徴部分を抽出し、当該音楽コンテンツの収録時間を検出し、
前記ナビ制御部は、案内中の経路の前方のリンクに前記受信中の放送を受信できないリンクが存在する場合、当該リンクまでの移動時間を算出し、前記音楽情報解析部が解析した記録中の音楽コンテンツの収録時間を比較し、前記収録時間が前記移動時間よりも長い場合、前記受信中の放送を受信できるリンクを用いて経路を再探索することを特徴とする請求項１に記載のナビゲーション装置。
【請求項３】
前記ナビゲーション装置は音楽情報送受信部を備え、該音楽情報送受信部は、前記放送受信部で受信中の音楽コンテンツの特徴部分を抽出してサーバに送信し、前記サーバから当該音楽コンテンツの収録時間を含む音楽情報を受信し、
前記ナビ制御部は、案内中の経路の前方のリンクに前記受信中の放送を受信できないリンクが存在する場合、当該リンクまでの移動時間を算出し、前記記録中の音楽コンテンツの収録時間を比較し、前記収録時間が前記移動時間よりも長い場合、前記受信中の放送を受信できるリンクを用いて経路を再探索することを特徴とする請求項１に記載のナビゲーション装置。
【請求項４】
前記ナビ制御部が、経路を再探索した結果、前記受信中の放送を受信できるリンクを用いた経路を探索できなかった場合、その旨を警告することを特徴とする請求項１ないし請求項３の何れか１項に記載のナビゲーション装置。
【請求項５】
前記音楽情報送受信部が、前記サーバから音楽コンテンツの収録時間を含む音楽情報を受信できなかった場合、または、前記音楽情報解析部が音楽コンテンツの収録時間を検出できなかった場合、その旨を警告することを特徴とする請求項２または請求項３に記載のナビゲーション装置。
【発明の詳細な説明】
【技術分野】
【０００１】
本発明は、アナログ放送やデジタル放送に対応したテレビジョン放送受信機能、ＡＭ放送やＦＭ放送に対応したラジオ放送受信機能などを併せ持った車載用のナビゲーション装置に関するものであり、特に、ナビゲーション機能による経路案内中に音楽放送を受信してハードディスク部に記録している際に、案内経路の前方に放送受信ができないリンクが存在する場合には音楽記録が途切れることがないように案内経路をリルートするようにしたナビゲーション装置に関するものである。
【背景技術】
【０００２】
最近ではナビゲーション装置、音楽プレーヤー、ＤＶＤプレーヤー、アナログ放送やデジタル放送に対応したテレビジョン受信機など各種の電子装置が小型化され、携帯可能な装置として、あるいは車載用の装置として提供されている。特に車載用の装置としては、上記の各種機能を複合して備えた電子装置も提供されている。
【０００３】
車載用のナビゲーション装置は、例えば、下記の特許文献１（特開２００３−１３０６６９号公報）に開示されているように、所要のリンクコストを設定した地図データを用い、各リンクに設定されたリンクコストに基づいて、出発地から目的地までのリンクコストの累計が最少になる経路を探索して案内するものである。
【０００４】
ラジオ放送を受信し、音楽コンテンツの楽曲部分を記録するようにしたデジタル再生装置は、例えば、下記の特許文献２（特表２００５−５１８５６０号公報）に開示されている。このデジタル再生装置は、受信されるラジオ放送コンテンツの中から再生することができる音楽部分を自動で選り分けて格納するように構成されたものである。
【０００５】
すなわち、このデジタル再生装置は、チューナで放送信号を音響出力部に出力すると共に、ＤＳＰに印加すると、ＤＳＰは前記放送信号をデジタルデータに変換して音楽抽出部に印加し、音楽抽出部は音楽抽出アルゴリズムによって前記デジタルデータ中から音楽データのみを抽出し、マイクロプロセッサは抽出した前記音楽データの始めと終わりを認識して音楽データ格納部の臨時領域に臨時格納しておき、現在出力する音楽を格納する命令が入力されると、前記音楽データ格納部の臨時領域から確定領域に移転して格納し、その格納状態を確定して維持するようにされたものである。
【０００６】
また、車載用のナビゲーション装置においては、アナログ放送やデジタル放送に対応したテレビジョン放送受信機能やＡＭ放送やＦＭ放送に対応したラジオ放送受信機能を併せ持った装置が数多く提供されている。
【０００７】
このようなナビゲーション装置では、ハードディスク部に経路探索、地図表示のための地図データが記憶される。最近ではハードディスク部の記憶容量が飛躍的に増大したことから、地図データを記憶したハードディスク部の一部を用いて受信した放送の音楽データなどのコンテンツを記憶できるようにしたナビゲーション装置も提案されている。
【０００８】
上記のようなナビゲーション装置においては、ナビゲーション機能による経路案内中に音楽放送を受信してハードディスク部に記録することが可能である。利用者が所望の音楽放送を受信しながら、その音楽コンテンツを記録している場合、記録が途中で途切れることは好ましくない。経路案内中であれば記録途中で目的地に到着してしまうこともあり、その場合、記録を途中で中断するか、車両を停車してその音楽放送が終了するまで待つことが必要になる。
【０００９】
このような不都合を解消するナビゲーション装置の発明が、例えば、下記の特許文献３（特開２００７−２４７９４号公報）に開示されている。このナビゲーション装置は、最適経路の探索において、コンテンツ情報の記録や出力を優先して目的地への到着時刻を制御するようにしたものである。すなわち、ナビゲーション装置は、コンテンツデータの再生や記録に要する時間から指定到着時刻を算出するＡＶ制御部を備えている。そして、ナビゲーション制御部が前記指定到着時刻、もしくはその少し前に目的地に到着するルートを適切な走行予定経路として選択する。さらに、交通状態の変化に対応して適宜経路の再設定を行なうことでコンテンツの再生終了や記録終了にあわせて目的地に到着するように経路案内するようにしたものである。
【特許文献１】特開２００３−１３０６６９号公報
【特許文献２】特表２００５−５１８５６０号公報
【特許文献３】特開２００７−２４７９４号公報
【発明の開示】
【発明が解決しようとする課題】
【００１０】
ところで、放送受信機能を持った車載用ナビゲーション装置を利用する場合は、車両が短時間で長距離を移動するものであるから、受信中の放送局の受信エリアから外れてしまい聴取中の放送を継続して受信できなくなる場合がある。
【００１１】
上記特許文献３に開示されたナビゲーション装置においては、記録を完了するまでの時間を算出してその記録完了の直前に目的地に到着するように到着時刻を設定し、当該到着時刻を満足する経路を探索するものではあるが、経路がすべて記録中の放送局の受信可能エリア内を走行するものである場合は問題ないが、経路の途中に放送を受信できないエリアが存在する場合には、記録が途切れるという問題点が生じる。
【００１２】
本願の発明者は上記の問題点を解消すべく種々検討を重ねた結果、経路探索のための地図情報の各リンクの属性情報に当該リンク上で受信可能な放送局エリア情報を付加し、所望の音楽放送を受信しながら、その音楽コンテンツを記録している場合、案内経路の前方に当該放送の受信が不可能なエリアが存在する場合、当該放送の受信が可能であるリンクのみを用いて経路を再探索するようになせば上記の問題点を解消し得ることに想到して本発明を完成するに至ったものである。
【００１３】
すなわち、本発明は、上記の問題点を解消することを課題とし、ナビゲーション機能による経路案内中に音楽放送を受信してハードディスク部に記録している際に、案内経路の前方に放送受信ができないリンクが存在する場合に、音楽記録が途切れることがないように経路を再探索するようにしたナビゲーション装置を提供することを目的とするものである。
【課題を解決するための手段】
【００１４】
前記課題を解決するために、本願の請求項１にかかる発明は、
現在位置を検出する現在位置検出部と、道路をノードとノード間を接続するリンクで表現した道路データを記憶する地図記憶部と、前記道路データに基づいて経路探索を行うナビ制御部と、ナビ制御部が経路探索した案内経路に基づいて経路案内するナビゲーション装置であって、経路案内中に前記ナビゲーション装置が放送受信機能を用いて音楽コンテンツを受信し、記録することができるナビゲーション装置において、
前記リンクデータは、各リンク毎にそのリンクで受信可能な放送局のデータをリンクの属性情報に含み、
前記ナビゲーション装置は、放送を受信する放送受信部と、前記受信した放送の音楽コンテンツを記録するハードディスク部と、を備え、経路案内中に前記放送受信部で受信中の音楽コンテンツを前記ハードディスク部に記録する際、前記ナビ制御部は、前記道路データを参照し、案内中の経路の前方のリンクに前記受信中の放送を受信できないリンクが存在する場合、前記受信中の放送を受信できるリンクを用いて経路を再探索することを特徴とする。
【００１５】
また、本願の請求項２にかかる発明は、請求項１にかかるナビゲーション装置において、  前記ナビゲーション装置は音楽情報解析部を備え、該音楽情報解析部は、前記放送受信部で受信中の音楽コンテンツの特徴部分を抽出し、当該音楽コンテンツの収録時間を検出し、前記ナビ制御部は、案内中の経路の前方のリンクに前記受信中の放送を受信できないリンクが存在する場合、当該リンクまでの移動時間を算出し、前記音楽情報解析部が解析した記録中の音楽コンテンツの収録時間を比較し、前記収録時間が前記移動時間よりも長い場合、前記受信中の放送を受信できるリンクを用いて経路を再探索することを特徴とする。
【００１６】
また、本願の請求項３にかかる発明は、請求項１にかかるナビゲーション装置において、
前記ナビゲーション装置は音楽情報送受信部を備え、該音楽情報送受信部は、前記放送受信部で受信中の音楽コンテンツの特徴部分を抽出してサーバに送信し、前記サーバから当該音楽コンテンツの収録時間を含む音楽情報を受信し、
前記ナビ制御部は、案内中の経路の前方のリンクに前記受信中の放送を受信できないリンクが存在する場合、当該リンクまでの移動時間を算出し、前記記録中の音楽コンテンツの収録時間を比較し、前記収録時間が前記移動時間よりも長い場合、前記受信中の放送を受信できるリンクを用いて経路を再探索することを特徴とする。
【００１７】
また、本願の請求項４にかかる発明は、請求項１ないし請求項３の何れか１項にかかるナビゲーション装置において、前記ナビ制御部が、経路を再探索した結果、前記受信中の放送を受信できるリンクを用いた経路を探索できなかった場合、その旨を警告することを特徴とする。
【００１８】
また、本願の請求項５にかかる発明は、請求項２または請求項３にかかるナビゲーション装置において、前記音楽情報送受信部または音楽情報解析部が、前記サーバから音楽コンテンツの収録時間を含む音楽情報を受信できなかった場合、または、音楽コンテンツの収録時間を検出できなかった場合、その旨を警告することを特徴とする。
【発明の効果】
【００１９】
請求項１にかかる発明においては、経路探索に用いられる道路データにおけるリンクデータは、各リンク毎にそのリンクで受信可能な放送局のデータをリンクの属性情報に含み、ナビゲーション装置は、放送を受信する放送受信部と、前記受信した放送の音楽コンテンツを記録するハードディスク部と、を備え、経路案内中に前記放送受信部で受信中の音楽コンテンツを前記ハードディスク部に記録する際、ナビ制御部は、前記道路データを参照し、案内中の経路の前方のリンクに前記受信中の放送を受信できないリンクが存在する場合、前記受信中の放送を受信できるリンクを用いて経路を再探索する。
【００２０】
かかる構成によれば、ナビゲーション機能による経路案内中に音楽放送を受信してハードディスク部に記録している際に、経路前方に当該放送を受信できないリンクが存在していても、経路をリルートするから音楽の記録を中断することなく継続することができるようになる。
【００２１】
請求項２にかかる発明においては、請求項１にかかるナビゲーション装置において、前記ナビゲーション装置は音楽情報解析部を備え、該音楽情報解析部は、前記放送受信部で受信中の音楽コンテンツの特徴部分を抽出し、当該音楽コンテンツの収録時間を検出し、前記ナビ制御部は、案内中の経路の前方のリンクに前記受信中の放送を受信できないリンクが存在する場合、当該リンクまでの移動時間を算出し、前記音楽情報解析部が解析した記録中の音楽コンテンツの収録時間を比較し、前記収録時間が前記移動時間よりも長い場合、前記受信中の放送を受信できるリンクを用いて経路を再探索することを特徴とする
かかる構成によれば、ナビゲーション機能による経路案内中に音楽放送を受信してハードディスク部に記録している際に、経路前方に当該放送を受信できないリンクが存在していても、記録中の音楽の記録（演奏）が終了する前に、そのリンクに車両が到達する場合、経路をリルートするから音楽の記録を中断することなく継続することができるようになる。また、経路前方のリンクの全てについて受信可能な放送局を調べることなくリルート処理ができるので、ナビ制御を効率よく行うことができるようになる。
【００２２】
請求項３にかかる発明においては、請求項１にかかるナビゲーション装置において、前記ナビゲーション装置は音楽情報送受信部を備え、該音楽情報送受信部は、放送受信部で受信中の音楽コンテンツの特徴部分を抽出してサーバに送信し、前記サーバから当該音楽コンテンツの収録時間を含む音楽情報を受信し、ナビ制御部は、案内中の経路の前方のリンクに前記受信中の放送を受信できないリンクが存在する場合、当該リンクまでの移動時間を算出し、前記記録中の音楽コンテンツの収録時間を比較し、収録時間が移動時間よりも長い場合、受信中の放送を受信できるリンクを用いて経路を再探索する。
【００２３】
かかる構成によれば、ナビゲーション機能による経路案内中に音楽放送を受信してハードディスク部に記録している際に、経路前方に当該放送を受信できないリンクが存在していても、記録中の音楽の記録（演奏）が終了する前に、そのリンクに車両が到達する場合、経路をリルートするから音楽の記録を中断することなく継続することができるようになる。また、経路前方のリンクの全てについて受信可能な放送局を調べることなくリルート処理ができるので、ナビ制御を効率よく行うことができるようになる。
【００２４】
請求項４にかかる発明においては、請求項１ないし請求項３の何れか１項にかかるナビゲーション装置において、ナビ制御部が、経路を再探索した結果、前記受信中の放送を受信できるリンクを用いた経路を探索できなかった場合、その旨を警告する。
【００２５】
かかる構成によれば、ナビゲーション装置の利用者は音楽の記録が中断することを知ることができ、記録をキャンセルすることもできるようになる。
【００２６】
請求項５にかかる発明においては、請求項２または請求項３にかかるナビゲーション装置において、音楽情報送受信部が前記サーバから音楽コンテンツの収録時間を含む音楽情報を受信できなかった場合、または、前記音楽情報解析部が音楽コンテンツの収録時間を検出できなかった場合、その旨を警告する。
【００２７】
かかる構成によれば、ナビゲーション装置の利用者は記録中の音楽の曲名が判別できないことを知ることができるようになる。
【発明を実施するための最良の形態】
【００２８】
以下、本発明の具体例を実施例及び図面を用いて詳細に説明する。但し、以下に示す実施例は、本発明の技術思想を具体化するためのナビゲーション装置を例示するものであって、本発明をこのナビゲーション装置に特定することを意図するものではなく、特許請求の範囲に含まれるその他の実施形態のナビゲーション装置にも等しく適用し得るものである。
【実施例】
【００２９】
図１は本発明の実施例にかかるナビゲーション装置の詳細な構成を示すブロック図である。ナビゲーション装置１は、自動車等の車両のダッシュボード上に載置されることにより車載用として使用されるだけでなく、車両から取外されユーザが携帯し使用できるタイプのものであってもよい。また、このナビゲーション装置１は、ＡＭ放送やＦＭ放送に対応したラジオ放送受信機能などを併せ持ったナビゲーション装置である。
【００３０】
ナビゲーション装置１は、図１に示すように、制御手段１０、ラジオ放送受信部１１、ＲＡＭ１２、地図記憶部１３、ハードディスク部１４、音楽情報送受信部１５、表示部１６、操作部１７、スピーカ１８、アンテナ１９、ナビ制御部２０、現在位置検出部２１などを備えて構成されている。
【００３１】
制御手段１０は、ＣＰＵ、ＲＯＭおよびＲＡＭ１２からなるプロセッサで構成され、ＲＯＭに記録された制御プログラムに従ってナビゲーション装置１の各部の動作を制御するものである。ラジオ放送受信部１１は、アンテナ１９を介して放送局からの放送電波を受信する。ナビ制御部２０は経路探索および経路案内などのナビゲーション機能の制御を司る。ラジオ放送の受信とナビゲーション機能の実行は操作部１７の操作により行われる。
【００３２】
ナビゲーション機能の実行中にラジオ放送の受信を行うこともできるが、その場合、表示部１６は、操作部１７による操作、または、自動切換えにより何れかの機能で用いられる表示画面が表示される。例えば、ナビゲーション機能にかかわる画面としては、経路探索条件の設定画面や地図画像および案内経路の画像が表示される。ラジオ放送受信時の画像としては、放送局を選局するための選局画面や、音量調整や音響効果の設定画面などが表示される。
【００３３】
現在位置検出部２１は、例えばＧＰＳ受信機等で構成され、地球上空を周回している複数のＧＰＳ衛星からの時刻情報を含む電波を受信し、それをもとに現在位置情報を算出するものである。
【００３４】
さらに、現在位置検出部２１は距離センサや方位センサを使用するようにしてもよい。この場合、車両の走行距離と走行方位とをそれぞれ検出し、これらの値を基準位置に対して積算することによって現在位置を求める。この現在位置検出方法は、ＧＰＳ受信と組み合わせることで、ＧＰＳ電波を受信できないトンネル内や、誤差が生じやすい高層ビル街において効果を発揮する。
【００３５】
地図記憶部１３は、各道路の交差点や分岐点などの結節点をノードとし、それぞれのノード間を結ぶ経路をリンクとした道路ノードデータ（ノードデータ）と道路リンクデータ（リンクデータ）を含む道路データを記憶する。道路ノードデータには、道路ノードの番号、位置座標、接続リンク本数、交差点名称などが含まれる。また、道路リンクデータには起点および終点となる道路ノードの番号、道路種別、リンク長（リンクコスト）、所要時間、車線数、車道幅などが含まれる。道路リンクデータにはさらに、リンク属性として橋、トンネル、踏切、料金所などのデータが付与される。道路種別は、高速道路や有料道路の別および国道や都道府県道などの別を含む情報である。
【００３６】
地図記憶部１３は、さらに海岸線、湖沼、河川形状などの水系データ、行政境界データ、施設の位置、形状、名称を含む施設データからなる背景データを記憶している。
【００３７】
また、地図記憶部１３には、道路データや背景データの他、地図画像を見やすく表示するためにベクター形式で記憶された地図画像データを含んでいてもよい。
【００３８】
これらの道路データと背景データおよび地図画像データは、ナビゲーション装置１を使用する際に、図示しない表示制御手段によってナビゲーション装置１の現在位置を含む所定範囲の地図が地図記憶部１３から抽出され、現在位置を示す現在位置マークや案内経路の画像が重ね合わされて表示部１６に表示される。また、ナビ制御部２０は、経路案内中に現在位置が交差点や分岐点など案内を要する地点に到達すると、右折、左折、直進などの案内をスピーカ１８から音声出力する。
【００３９】
ナビ制御部２０は、ユーザによって出発地や目的地が指定されると、地図記憶部１３に記憶されている道路データを参照し、出発地から目的地に至る最適経路を探索し、案内経路データを作成するものである。この最適経路の探索は、現在位置またはユーザによって指定された出発地に対応する道路ノードからユーザによって指定された目的地に対応する道路ノードまでに至るリンクとノードをダイクストラ法などの各種の手法によって探索し、リンク長（リンクコスト）や所要時間などを累積し、総リンク長または総所要時間などが最短となる経路を案内経路とし、当該経路に属する道路ノードやリンクを案内経路データとして提供するものである。
【００４０】
表示部１６は図示しない表示制御手段により、地図上で現在位置を表示する際や、経路案内を行っている際、さらにユーザが所定の位置と縮尺を指定した場合などに、所定範囲の道路データや背景データ、地図画像データを選択し、現在位置を示すアイコン（現在位置マーク：自車位置マーク）や走行道路の軌跡や案内経路などを示す画像、さらには種々の案内解説などの画像を重ね合わせて合成し、表示部１６に表示できるデータを作成する。
【００４１】
地図データの各リンクデータは前述したように属性情報を持つ。本実施例のナビゲーション装置においては、属性情報に更に、各リンク上で受信可能な放送局（送信局）のデータが記憶されている。従って、ラジオ放送受信中の放送局と案内経路上のリンクの属性データに記憶されている放送局とを比較すると、案内経路上で受信中の放送を継続受信できるか否かを判別することができる。
【００４２】
図２は、リンクに付加される属性情報の一例を示す図である。図２に示すように各リンクには、受信可能な放送局の情報が属性情報として記憶されている。例えば、リンクＬ００では放送局Ａ０、Ｂ０・・の放送電波の受信が可能であり、リンクＬ０Ｎでは放送局Ａ１、Ｂ１・・の放送電波の受信が可能である。これにより車両がどのリンクに到達した時にどの放送局の放送電波の受信が可能かを判別することができる。従って、リンクの属性情報に記録されていない放送局の放送電波は当該リンクでは受信できないことがわかる。
【００４３】
このようなリンクデータに従って、経路案内中の経路の前方のリンクの属性情報を判別して、経路前方に受信中の放送局の受信ができないリンクが存在する場合、受信可能なリンクを抽出して経路を再探索して案内経路を変更すれば、ナビゲーション装置において受信中の放送を中断することなく、移動を続けることができる。経路の再探索処理は一般にリルートと呼ばれる処理である。
【００４４】
ラジオ放送受信部１１はアンテナ１９を介して放送電波を受信する。受信している放送のコンテンツが音楽である場合、ＲＡＭ１２に一時記録する。ＲＡＭ１２に一時記録した音楽コンテンツは記憶部であるハードディスク部１４に記録（録音）することができる。
【００４５】
また、音楽情報送受信部１５は、記録中の音楽コンテンツの楽曲を特定するためのデータ（楽曲の先頭やサビの部分）を検出して図示しない情報サーバに送る。サーバは送られた音楽データを解析して楽曲を特定し、その楽曲の曲名や収録時間を算出してナビゲーション装置に送信する。楽曲の解析は、例えば、上記の特許文献２に開示されている技術を適用することができる。楽曲が特定できない場合サーバはエラー情報をナビゲーション装置に送信する。
【００４６】
音楽情報送受信部１５はサーバから楽曲の曲名や収録時間などの情報を受信すると、ＲＡＭ１２に一時記録した音楽コンテンツのデータに曲名や収録時間の情報を対応付けてハードディスク部１４に記録する。ハードディスク部１４に記録された音楽コンテンツのデータは必要により読み出して再生することができる。
【００４７】
ナビゲーション装置１において、経路案内中にラジオ放送受信部１１で音楽放送を受信し、音楽コンテンツをハードディスク部１４に記録する場合、前述したように音楽コンテンツのデータをＲＡＭ１２に一時記録するとともにサーバに音楽情報を送信して曲名と収録時間の情報を受信する。
【００４８】
ナビ制御部２０は、現在位置検出部２１により検出した現在位置に基づいて、案内中の経路の前方のリンクの属性情報を調べる。経路前方に音楽放送を受信中の放送局の放送を受信できないエリアが含まれるか否かを判別する。もしも経路の前方に受信中の放送局の電波を受信できないリンクがある場合、ナビ制御部２０は現在位置から目的地までの経路をリルートする。
【００４９】
ナビ制御部２０はリルートするにあたって、受信中の放送局の電波を受信することのできるリンクを抽出して経路を探索すればよい。これにより音楽放送の受信、記録を中断することなく目的地までの経路を走行することができるようになる。
【００５０】
なお、ナビ制御部２０は車両の走行速度からある時間内に移動する距離が判別できるから、サーバから受信した収録時間に基づいて、当該収録時間内に車両が移動する距離を推定することができる。従って、この移動距離の間に入る案内経路のリンクの属性情報を調べ、その範囲内に受信中の放送局の放送電波を受信できないリンクが存在しなければリルート処理をせず、その範囲内に受信中の放送局の放送電波を受信できないリンクが存在した場合にリルート処理をすればよい。
【００５１】
この処理は以下の手順で行うこともできる。すなわち、経路の前方のリンクに受信中の放送局の電波を受信できないリンクが存在するか否かを判別する。前方のリンクに受信中の放送局の電波を受信できないリンクが存在したら、そのリンクまでの移動所要時間を算出する。次いで、この移動所要時間が受信中の楽曲の収録時間を超過するか否かを判別し、移動所要時間が受信中の楽曲の収録時間を超過する場合リルート処理を行う。
【００５２】
図３は、本発明の実施例にかかるナビゲーション装置１における処理手順を示すフローチャートである。ナビゲーション装置１においてナビ制御部２０はステップＳ１０１で経路探索を行い、指定された目的地までの経路を探索し、経路案内を実行中であるものとする。また、ラジオ放送受信部１１は所望の放送局の音楽コンテンツを含む放送を受信しているものとする。
【００５３】
ステップＳ１０２の処理で操作部１７の操作により音楽放送に含まれる音楽コンテンツの記録開始の指示がなされると、音楽情報送受信部１５はステップＳ１０３の処理で音楽部分のデータを切り出し、ステップＳ１０４の処理でＲＡＭ１２に一時記録する。次に、音楽情報送受信部１５は、音楽の先頭部分または特徴部分を抽出し、図示しないサーバに送信する（ステップＳ１０５）。
【００５４】
図４は、音楽コンテンツの解析処理を行うサーバ（図示せず）の処理手順を示すフローチャートである。サーバはナビゲーション装置１から音楽の先頭部分または特徴部分のデータを受信すると、ステップＳ２０１の処理でデータを解析して音楽（楽曲）の曲名、収録時間（演奏時間）を特定する。次いでサーバは、ステップＳ２０２の処理で音楽を特定できたか否かを判別し、特定できなかったらナビゲーション装置１にエラー情報を送信する（ステップＳ２０４）。音楽が特定できたら、ステップＳ２０３の処理に進み、解析により得られた音楽の曲名、収録時間をナビゲーション装置１に送信して処理を終了する。
【００５５】
再び図３に示すフローチャートに戻ると、ステップＳ１０６の処理で、音楽情報送受信部１５がサーバから音楽の曲名、収録時間を受信すると、ＲＡＭ１２に記録している音楽コンテンツのデータにその曲名、収録時間のデータを対応付けて記録する（ステップＳ１０７）。そしてステップＳ１０８の処理で表示部１６に曲名を表示する。
【００５６】
ナビ制御部２０は、現在位置検出部２１が検出した現在位置に基づいて、ステップＳ１０９の処理で経路の前方のリンクの属性情報を調べ、前方に音楽放送受信中の放送局の放送電波を受信できないリンクがあるか否かを判別する。受信できないリンクがなければ、ステップＳ１１１の処理に進み、音楽情報送受信部１５は記録中の音楽が終了したか否かを判別する。受信できないリンクが経路前方に存在すると判別すると、ナビ制御部２０はステップＳ１１０の処理で経路の再探索（リルート）を行う。
【００５７】
リルートにあたっては、受信中の放送局の放送電波を受信可能な属性情報を持つリンクのみを用いる。これにより受信中の放送（音楽）を中断することなく目的地に向かって走行することができるようになる。図示していないが、リルートにより新たな経路が探索できなければ、受信が中断する旨警告を表示する。
【００５８】
ステップＳ１１１の判別処理において、記録中の音楽が終了していないことを判別したらステップＳ１０９の経路前方のリンクの属性情報の判別処理に戻り、記録中の音楽が終了したものと判別した場合、音楽情報送受信部１５は、ＲＡＭ１２に一時記録した音楽コンテンツのデータと、該データに対応付けて記録された曲名、収録時間などのデータをハードディスク部１４に記録する（ステップＳ１１２）。ステップＳ１１３の処理では記録終了指示の有無を判別する。ステップＳ１１３の処理で記録終了指示を検出したら処理を終了し、記録終了指示を検出しなければステップＳ１０３の音楽部分の切り出し処理に戻る。
【００５９】
図３のステップＳ１０９、Ｓ１１０におけるリンク属性判別、リルート処理は、経路前方のリンクの全てを判別するようにしているが、記録中の音楽が終了するまでの間に車両が走行すると予測される範囲について判別するように構成してもよい。図５は、このような処理手順を示すフローチャートである。なお、図５の手順は、図３のステップＳ１０９、Ｓ１１０に相当する処理部分のみを示しており、図３のステップＳ１０８とステップＳ１１１の間に入る処理である。
【００６０】
図５において、ナビ制御部２０は、現在位置検出部２１が検出した現在位置に基づいて、ステップＳ３０１の処理で経路の前方のリンクの属性情報を順に調べ、前方に音楽放送受信中の放送局の放送電波を受信できないリンクがあるか否かを判別する。受信できないリンクがなければ、この処理手順の部分における処理は終了であり、図３のステップＳ１１１の処理に移る。
【００６１】
経路の前方に音楽放送受信中の放送局の放送電波を受信できないリンクがあると判別されると、ステップＳ３０２の処理でナビ制御部２０はそのリンクまでの移動時間を算出する。移動時間の算出は車両の移動速度とそのリンクまでの距離に基づいて算出することができる。車両の移動速度は、現在位置の変化の履歴とその間に進んだ距離から算出することができる。あるいは、車両に備えられた車速センサ（図示せず）の検出速度を用いてもよい。
【００６２】
リンクまでの移動時間が算出されると、ステップＳ３０３の処理において、ナビ制御部２０は記録中の音楽の収録時間とリンクまでの移動時間を比較し、収録時間が移動時間よりも大（長い）か否かを判別する。収録時間が移動時間より長い場合、収録途中で車両がそのリンクに到達するから、受信中の放送局の放送電波を受信できなくなる。従って、この場合、ナビ制御部２０はステップＳ３０４の処理に進み、リルートを行う。
【００６３】
収録時間が移動時間より短ければ、車両がそのリンクに到達するまでの間に記録中の音楽の放送は終了するものであるから、この処理手順の部分における処理は終了であり、図３のステップＳ１１１の処理に移る。このような処理によれば、経路前方のリンクの全てについて受信可能な放送局を調べることなくリルート処理ができるので、ナビ制御を効率よく行うことができるようになる。
【００６４】
なお、上記の実施例においては、音楽情報送受信部１５が記録中の音楽コンテンツの楽曲を特定するためのデータ（楽曲の先頭やサビの部分）を検出し、情報サーバ（図示セズ）に送り、サーバにおいて音楽データを解析して楽曲を特定し、その楽曲の曲名や収録時間を解析してナビゲーション装置１に送信する例を説明したが、ナビゲーション装置１にサーバの機能を設け、ナビゲーション装置において、曲名や収録時間を解析するように構成することもできる。この場合、図１の音楽情報送受信部１５を音楽情報解析部に置き換え、音楽情報解析部が記録中の音楽コンテンツの楽曲を特定するためのデータ（楽曲の先頭やサビの部分）を検出し、それに基づいて曲名や収録時間を解析するように構成すればよい。
【００６５】
以上、詳細に説明したように、本発明にかかるナビゲーション装置１によれば、ラジオ放送を受信して音楽を記録している際に、経路前方に当該放送局の放送を受信できないリンクが存在していても、経路をリルートするから音楽の記録を中断することなく継続することができるようになる。
【００６６】
なお、上記実施例の説明はラジオ放送を例に説明したが、アナログあるいは地上波デジタルテレビジョン放送を受信して音楽コンテンツを記録する場合にも適用することが可能である。
【図面の簡単な説明】
【００６７】
【図１】本発明の実施例にかかるナビゲーション装置のブロック構成図を示す。
【図２】リンク属性情報の一例を示す図である。
【図３】本発明の実施例にかかるナビゲーション装置における処理手順を示すフローチャートである。
【図４】音楽コンテンツの解析処理を行うサーバの処理手順を示すフローチャートである。
【図５】リルート処理の他の手順を示すフローチャートである。
【符号の説明】
【００６８】
１：    ナビゲーション装置
１０：    制御手段
１１：    ラジオ放送受信部
１２：    ＲＡＭ
１３：    地図記憶部
１４：    ハードディスク部
１５：    音楽情報送受信部
１６：    表示部
１７：    操作部
１８：    スピーカ
１９：    アンテナ
２０：    ナビ制御部
２１：    現在位置検出部
【図１】
2009109468.tif 000003
【図２】
2009109468.tif 000004
【図３】
2009109468.tif 000005
【図４】
2009109468.tif 000006
【図５】
2009109468.tif 000007